(57)【要約】【課題】  従来のスノーボード用ビンディングにおいては、ハイバックの前傾調整部材が誤作動する恐れがあった。【解決手段】  本発明のスノーボード用ビンディングは、ベースプレートと、このベースプレートの後部に垂設したハイバックと、上記ベースプレートの一側にその一端を枢支した一方のバンドと、上記ベースプレートの他側にその一端を枢支した他方のバンドとより成り、上記ハイバックが上記ベースプレートの後部にその基部を枢支した下部ハイバックと、この下部ハイバックの上部にその下部を傾動自在に枢支し、または高さ調節自在に設けた上部ハイバックとより成る。【選択図】  図２
2004188228.tif 000002
【特許請求の範囲】
【請求項１】
ベースプレートと、このベースプレートの後部に垂設したハイバックと、上記ベースプレートの一側にその一端を枢支した一方のバンドと、上記ベースプレートの他側にその一端を枢支した他方のバンドとより成り、上記ハイバックが上記ベースプレートの後部にその基部を枢支した下部ハイバックと、この下部ハイバックの上部にその下部を傾動自在に枢支した上部ハイバックとより成ることを特徴とするスノーボード用ビンディング。
【請求項２】
ベースプレートと、このベースプレートの後部に垂設したハイバックと、上記ベースプレートの一側にその一端を枢支した一方のバンドと、上記ベースプレートの他側にその一端を枢支した他方のバンドとより成り、上記ハイバックが上記ベースプレートの後部にその基部を枢支した下部ハイバックと、この下部ハイバックの上部にその下部を高さ調節自在に設けた上部ハイバックとより成ることを特徴とするスノーボード用ビンディング。
【発明の詳細な説明】
【技術分野】
【０００１】
本発明はスノーボード用ビンディングに関するものである。
【背景技術】
【０００２】
図５は従来のスノーボード用ビンディングの側面図であって、１はスノーボード本体（図示せず）に固定されるベースプレート、２はブーツ、３はブーツ２の後面に対接されるよう上記ベースプレート１に連結されたハイバック、４は上記ベースプレート１に対し、上記ハイバック３を回動自在に枢支するための枢支部、５は上記ブーツ２の甲部を締め付けるため上記ベースプレート１に設けたアンクルストラップ、６はブーツ２のつま先を締め付けるため上記ベースプレート１に設けたトウーストラップ、７はハイバック３の背面に設けた、その下面が上記ベースプレート１の後方ヒールカップ１ａの後端上面に対接されるハイバック前傾調整部材を示す。
【０００３】
図６は、上記トウーストラップ６の詳細説明図であって、８ａはその一端を上記ベースプレート１の一側に固定した一方のバンド、８ｂは上記ベースプレート１の他側にその一端を固定した他方のバンド、９は上記一方のバンド８ａの遊端に連結したバックル、１０はこのバックル９に連結したラチェットベルト、１１は上記他方のバンド８ｂに上記ラチェットベルト１０を連結するために設けたラチェット爪を有するロック部を示す。
【０００４】
なお、アンクルストラップ５は、上記トウーストラップ６と同一の構成を有する。
【０００５】
このような従来のスノーボード用ビンディングにおいては、ベースプレート１にブーツ２を装着するとき、上記アンクルストラップ５及びトウーストラップ６のラチェットベルト１０とラチェット爪を有するロック部１１の係合を外し、一方及び他方のバンド８ａ，８ｂを両手で互いに分離した後、ブーツ２を上記ベースプレート１にその上方から乗せ、図７に示すようにラチェットベルト１０をラチェット爪を有するロック部１１に挿入し、バックル９を締めてブーツの甲及びつま先をベースプレート１に固定せしめている。
【０００６】
また、図７〜図９は上記前傾調整部材７の詳細説明図であって、１２は上記ハイバック３の背面に設けられた鋸歯状のギア、１３は上記ギア１２に噛合するための鋸歯状のギア１４をその内側面に有するアジャスター、１５は上記アジャスター１３に設けられた長孔１６及び上記ハイバック３に設けられた孔１７を貫通してその一端を上記ハイバック３に係合せしめたピン、１８は上記ピン１５の他端に枢支ピンを介して傾動自在に設けられた、上記アジャスター１３の外側面に対接される偏心レバーを示し、図７に示すように上記前傾調整部材７のレバー１８を倒してハイバック３にアジャスターを押しつけた状態では上記ハイバック３のギア１２と上記アジャスター１３のギア１４が噛合し、上記アジャスター１３は上記ハイバック３に固定され、この状態ではハイバック３を後方に傾斜せしめたとき、上記アジャスター１３の下面が上記ベースプレート１の後部上面に突き当たり、ハイバック３の傾斜が規制されるようになる。
【０００７】
また、図９に示すように上記レバー１８を起こした状態ではギア１２とギア１４との噛合が解かれ、上記アジャスター１３は長孔１６の範囲内で図１０に示すように上記ハイバック３に対して相対的に上下動でき、上記ベースプレート１に対するハイバック３の傾斜角度を調整せしめることができる。
【発明の開示】
【発明が解決しようとする課題】
【０００８】
然しながら、上記従来のスノーボード用ビンディングにおいては、上記前傾調整部材７のレバー１８を倒してハイバック３にアジャスター１３を固定しベースプレート１に対する上記のハイバック３の傾斜を固定したにもかかわらず、上記レバー１８に物等があたりその衝撃で上記レバー１８が起きてアジャスター１３がハイバック３から離れて移動し、ベースプレート１に対するハイバック３の傾斜限度角が変わってしまう場合があった。
【０００９】
また、ハイバック３の上端部がふくらはぎに食い込んで痛くなる場合があった。
【００１０】
本発明は上記の欠点を除くようにしたものである。
【課題を解決するための手段】
【００１１】
本発明のスノーボード用ビンディングは、ベースプレートと、このベースプレートの後部に垂設したハイバックと、上記ベースプレートの一側にその一端を枢支した一方のバンドと、上記ベースプレートの他側にその一端を枢支した他方のバンドとより成り、上記ハイバックが上記ベースプレートの後部にその基部を枢支した下部ハイバックと、この下部ハイバックの上部にその下部を傾動自在に枢支し、または高さ調節自在に設けた上部ハイバックとより成ることを特徴とする。
【発明の効果】
【００１２】
上記のように、本発明のスノーボード用ビンディングによれば、上記上部ハイバック３ｂはブーツ２のふくらはぎ部分にそって上記下部ハイバック３ａに相対的に傾動でき、上記上部ハイバック３ｂに取り付けたハイバッククッション４５が足に対して均一に押しつけられるのでフィット感を向上でき、足の痛さを防止せしめることができる。また、上記枢支孔４１の位置を変更せしめることにより上部ハイバック３ｂの高さを変えることができるので足の長さ、ふくらはぎの筋肉の付き方、老若男女、人様々で好みの位置に調節することができる。
【発明を実施するための最良の形態】
【００１３】
以下図面によって本発明の実施例を説明する。
【実施例１】
【００１４】
本発明のスノーボード用ビンディングにおいては、図１に示すように、ハイバック３に係合する足の保持手段Ａを設ける。
【００１５】
上記足の保持手段Ａにおいては、図３に示すように、ハイバック３を下部ハイバック３ａと上部ハイバック３ｂとの２つに分離せしめ、上記下部ハイバック３ａの上部に上下方向の長孔４０と上下に離間した複数の枢支孔４１を有する接続板４２とを設け、上記上部ハイバック３ｂの下部外面には接続板４３を突出せしめ、この接続板４３を上記長孔４０を通し上記下部ハイバック３ａの接続板４２の任意の枢支孔４１にリベット４４により連結固定せしめる。
【００１６】
上記保持手段Ａは上記のような構成であるから、上記上部ハイバック３ｂはブーツ２のふくらはぎ部分にそって上記下部ハイバック３ａに相対的に傾動でき、上記上部ハイバック３ｂに取り付けたハイバッククッション４５が足に対して均一に押しつけられるのでフィット感を向上でき、足の痛さを防止せしめることができる。
【００１７】
また、上記枢支孔４１の位置を変更せしめることにより上部ハイバック３ｂの高さを変えることができるので足の長さ、ふくらはぎの筋肉の付き方、老若男女、人様々で好みの位置に調節することができる。
【００１８】
なお、図４に示すように上記下部ハイバック３ａの上部に上下方向の長孔４０と接続板４３と設け、上記上部ハイバック３ｂの下部外面には上下に離間した複数の枢支孔４１を有する接続板４２を突出せしめ、この接続板４２を上記長孔４０を通しこの接続板４２の任意の枢支孔４１に上記下部ハイバック３ａの接続板４３をリベット４４により連結固定せしめても良い。
【図面の簡単な説明】
【００１９】
【図１】本発明のスノーボード用ビンディングの斜視図である。
【図２】本発明のスノーボード用ビンディングの足の保持手段の説明用斜視図である。
【図３】本発明のスノーボード用ビンディングの足の保持手段の説明用縦断側面図である。
【図４】本発明のスノーボード用ビンディングの足の保持手段の他の実施例の説明用縦断側面図である。
【図５】従来のスノーボード用ビンディングの側面図である。
【図６】従来のスノーボード用ビンディングの正面図である。
【図７】従来のスノーボード用ビンディングの前傾調整部材の説明用縦断側面図である。
【図８】従来のスノーボード用ビンディングの前傾調整部材の説明用縦断側面図である。
【図９】従来のスノーボード用ビンディングの前傾調整部材の説明用縦断側面図である。
【符号の説明】
【００２０】
１    ベースプレート
１ａ  ヒールカップ
２    ブーツ
３    ハイバック
３ａ  ハイバック
３ｂ  ハイバック
４    枢支部
５    アンクルストラップ
６    トウーストラップ
７    前傾調整部材
８ａ  バンド
８ｂ  バンド
９    バックル
１０    ラチェットベルト
１１    ロック部
１２    鋸歯状のギア
１３    アジャスター
１４    鋸歯状のギア
１５    ピン
１６    長孔
１７    孔
１８    レバー
４０    長孔
４１    枢支孔
４２    接続板
４３    接続板
４４    リベット
４５    ハイバッククッション
【図１】
2004188228.tif 000003
【図２】
2004188228.tif 000004
【図３】
2004188228.tif 000005
【図４】
2004188228.tif 000006
【図５】
2004188228.tif 000007
【図６】
2004188228.tif 000008
【図７】
2004188228.tif 000009
【図８】
2004188228.tif 000010
【図９】
2004188228.tif 000011